【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
互いに異なるユーザ識別体系を利用して登録されたユーザを識別するサーバ間のサービス連動方法であって、
第１ユーザ識別体系を利用して登録されたユーザを識別する第１サーバが、前記第１ユーザ識別体系における第１ユーザの識別子である第１識別子に対応して前記第１ユーザに対する参照識別子を生成する段階、
前記第１サーバが、前記生成された参照識別子を前記第１識別子と対応付けて管理する段階、
前記第１サーバが、第２ユーザ識別体系における前記第１ユーザの識別子である第２識別子を前記第１ユーザから受信する段階、および
前記第１サーバが、前記第２ユーザ識別体系を利用して登録されたユーザを識別する第２サーバに、前記第１ユーザの前記第２識別子と前記参照識別子を送信する段階
を含む、サービス連動方法。
【請求項２】
前記参照識別子は、前記第２サーバに送信された前記第２識別子に基づいて識別される前記第１ユーザと関連付けて前記第２サーバで管理される、請求項１に記載のサービス連動方法。
【請求項３】
前記第１サーバが、前記第１ユーザの前記参照識別子を利用して、前記第１ユーザと関連するサービスを前記第２サーバに要請する段階
をさらに含み、
前記第２サーバにおいて前記要請による前記参照識別子に基づいて、前記要請されたサービスが適用される前記第１ユーザが識別される、請求項１又は２に記載のサービス連動方法。
【請求項４】
前記第１サーバが、前記第２サーバから前記参照識別子が含まれるサービス要請を受信する段階、および
前記受信した参照識別子に対応する前記第１識別子に基づいて、前記サービス要請と関連する前記第１ユーザを識別する段階
をさらに含む、請求項１乃至３のいずれか一項に記載のサービス連動方法。
【請求項５】
前記第１ユーザ識別体系は、前記第１サーバが提供するメッセンジャーサービスのメッセンジャー識別子を前記第１識別子として利用して前記メッセンジャーサービスに登録された前記第１ユーザを識別する体系を含み、
前記第２ユーザ識別体系は、前記第２サーバが提供する決済サービスのために登録された前記第１ユーザの電話番号を前記第２識別子として利用して、前記決済サービスに登録された前記第１ユーザを識別する体系を含む、請求項１乃至４のいずれか一項に記載のサービス連動方法。
【請求項６】
前記参照識別子は、前記第１ユーザの個人情報を含まないように生成され、
前記第１サーバと前記第２サーバで前記第１ユーザの個人情報に対する通信や共有がなくても、前記参照識別子を利用してサービス連動のための前記第１ユーザが識別される、請求項１乃至５のいずれか一項に記載のサービス連動方法。
【請求項７】
前記第１サーバが前記第１ユーザのメッセンジャーアカウントと第２ユーザのメッセンジャーアカウントとの間に会話セッションを設定する段階、および
前記第１サーバが、前記会話セッションで、前記第１ユーザの送金要請に従って前記第１ユーザの参照識別子と前記第２ユーザの参照識別子を含む送金要請を前記第２サーバに送信する段階
をさらに含み、
前記第２サーバにおいて、前記第１ユーザの参照識別子を利用して前記第１ユーザが送金人として識別され、前記第２ユーザの参照識別子を利用して前記第２ユーザが受取人として識別されて送金が処理される、請求項１乃至６のいずれか一項に記載のサービス連動方法。
【請求項８】
互いに異なるユーザ識別体系を利用して登録されたユーザを識別するサーバ間のサービス連動方法であって、
第２ユーザ識別体系を利用して登録されたユーザを識別する第２サーバが、第１ユーザ識別体系を利用して登録されたユーザを識別する第１サーバから、前記第２ユーザ識別体系における第１ユーザの識別子である第２識別子と、前記第１ユーザに対して前記第１サーバにおいて生成された参照識別子を受信する段階、および
前記第２サーバが、前記受信した第２識別子に基づいて前記第１ユーザを識別し、前記受信した参照識別子を前記識別された第１ユーザと関連付けて管理する段階
を含み、
前記第１ユーザは、前記第１ユーザ識別体系での第１識別子に基づいて前記第１サーバで識別されるユーザである、サービス連動方法。
【請求項９】
前記参照識別子は、前記第１サーバで前記第１識別子と関連付けて管理される、請求項８に記載のサービス連動方法。
【請求項１０】
前記第２サーバが、前記第１ユーザの参照識別子を利用して、前記第１ユーザと関連するサービスを前記第１サーバに要請する段階
をさらに含み、
前記第１サーバにおいて前記要請による前記参照識別子に基づいて、前記要請されたサービスが適用される前記第１ユーザが識別される、請求項８又は９に記載のサービス連動方法。
【請求項１１】
前記第２サーバが、前記第１サーバから前記参照識別子を含むサービス要請を受信する段階、および
前記第２サーバが、前記サービス要請に含まれる前記参照識別子を利用して前記第１ユーザを識別し、前記識別された第１ユーザと関連する前記サービス要請を処理する段階
を含む、請求項８乃至１０のいずれか一項に記載のサービス連動方法。
【請求項１２】
前記第１ユーザ識別体系は、前記第１サーバが提供するメッセンジャーサービスのメッセンジャー識別子を前記第１識別子として利用して、前記メッセンジャーサービスに登録された前記第１ユーザを識別する体系を含み、
前記第２ユーザ識別体系は、前記第２サーバが提供する決済サービスのために登録された前記第１ユーザの電話番号を前記第２識別子として利用して、前記決済サービスに登録された前記第１ユーザを識別する体系を含む、請求項８乃至１１のいずれか一項に記載のサービス連動方法。
【請求項１３】
前記参照識別子は、前記第１ユーザの個人情報を含まないように生成され、
前記第１サーバと前記第２サーバで前記第１ユーザの個人情報に対する通信や共有がなくても、前記参照識別子を利用してサービス連動のための前記第１ユーザが識別される、請求項８乃至１２のいずれか一項に記載のサービス連動方法。
【請求項１４】
前記第２サーバが、前記第１サーバから前記第１ユーザの参照識別子と第２ユーザの参照識別子を含む送金要請を受信する段階、および
前記第１ユーザの参照識別子を利用して前記第１ユーザを送金人として識別し、前記第２ユーザの参照識別子を利用して前記第２ユーザを受取人として識別して送金を処理する段階
をさらに含み、
前記送金要請は、前記第１サーバで前記第１ユーザのメッセンジャーアカウントと第２ユーザのメッセンジャーアカウントとの間に設定された会話セッションでの前記第１ユーザの送金要請に基づいて生成されて前記第２サーバに伝達される、請求項８乃至１３のいずれか一項に記載のサービス連動方法。
【請求項１５】
互いに異なるユーザ識別体系を利用して登録されたユーザを識別するサーバ間のサービス連動システムであって、
前記サーバのうち、第１ユーザ識別体系を利用して登録されたユーザを識別する第１サーバは、
コンピュータ読取可能命令を実行するように実現される少なくとも１つのプロセッサ
を含み、
前記少なくとも１つのプロセッサは、
前記第１ユーザ識別体系における第１ユーザの識別子である第１識別子に対応して前記第１ユーザに対する参照識別子を生成し、
前記生成された参照識別子を前記第１識別子と対応付けて管理するように前記第１サーバを制御し、
第２ユーザ識別体系における前記第１ユーザの識別子である第２識別子を前記第１ユーザから受信するように前記第１サーバを制御し、
受信した前記第１ユーザの前記第２識別子と前記参照識別子を、前記サーバのうち、前記第２ユーザ識別体系を利用して登録されたユーザを識別する第２サーバに送信するように前記第１サーバを制御する、サービス連動システム。
【請求項１６】
前記参照識別子は、前記第２サーバに送信された前記第２識別子に基づいて識別される前記第１ユーザと関連付けて前記第２サーバで管理される、請求項１５に記載のサービス連動システム。
【請求項１７】
前記少なくとも１つのプロセッサは、前記第１ユーザと関連するサービスを、前記第１ユーザの参照識別子を利用して前記第２サーバに要請するように構成され、
前記第２サーバにおいて前記要請による前記参照識別子に基づいて、前記要請されたサービスが適用される前記第１ユーザが識別される、請求項１５又は１６に記載のサービス連動システム。
【請求項１８】
前記少なくとも１つのプロセッサは、
前記第２サーバから前記参照識別子が含まれるサービス要請を受信し、
前記受信した参照識別子に対応する前記第１識別子に基づいて、前記サービス要請と関連する前記第１ユーザを識別する、請求項１５乃至１７のいずれか一項に記載のサービス連動システム。
【請求項１９】
前記第１ユーザ識別体系は、前記第１サーバが提供するメッセンジャーサービスのメッセンジャー識別子を前記第１識別子として利用して、前記メッセンジャーサービスに登録された前記第１ユーザを識別する体系を含み、
前記第２ユーザ識別体系は、前記第２サーバが提供する決済サービスのために登録された前記第１ユーザの電話番号を前記第２識別子として利用して、前記決済サービスに登録された前記第１ユーザを識別する体系を含む、請求項１５乃至１８のいずれか一項に記載のサービス連動システム。
【請求項２０】
前記少なくとも１つのプロセッサは、
前記第１ユーザのメッセンジャーアカウントと第２ユーザのメッセンジャーアカウントとの間に会話セッションを設定し、
前記会話セッションでの前記第１ユーザの送金要請に従って、前記第１ユーザの参照識別子と前記第２ユーザの参照識別子を含む送金要請を前記第２サーバに送信するように前記第１サーバを制御する、
ように構成され、
前記第２サーバにおいて、前記第１ユーザの参照識別子を利用して前記第１ユーザが送金人として識別され、前記第２ユーザの参照識別子を利用して前記第２ユーザが受取人として識別されて送金が処理される、請求項１５乃至１９のいずれか一項に記載のサービス連動システム。
【請求項２１】
互いに異なるユーザ識別体系を利用して登録されたユーザを識別するサーバ間のサービス連動のためのコンピュータプログラムであって、実行されると、第１ユーザ識別体系を利用して登録されたユーザを識別する第１サーバに、
前記第１ユーザ識別体系における第１ユーザの識別子である第１識別子に対応して前記第１ユーザに対する参照識別子を生成させ、
前記生成された参照識別子を前記第１識別子と対応付けて管理させ、
第２ユーザ識別体系における前記第１ユーザの識別子である第２識別子を前記第１ユーザから受信させ、
前記第２ユーザ識別体系を利用して登録されたユーザを識別する第２サーバに、前記第１ユーザの前記第２識別子と前記参照識別子を送信させる、
コンピュータプログラム。
【請求項２２】
互いに異なるユーザ識別体系を利用して登録されたユーザを識別するサーバ間のサービス連動のためのコンピュータプログラムであって、実行されると、第２ユーザ識別体系を利用して登録されたユーザを識別する第２サーバに、
第１ユーザ識別体系を利用して登録されたユーザを識別する第１サーバから、前記第２ユーザ識別体系における第１ユーザの識別子である第２識別子と、前記第１ユーザに対して前記第１サーバにおいて生成された参照識別子を受信させ、
前記受信した第２識別子に基づいて前記第１ユーザを識別し、前記受信した参照識別子を前記識別された第１ユーザと関連付けて管理させ、
前記第１ユーザは、前記第１ユーザ識別体系での第１識別子に基づいて前記第１サーバで識別されるユーザである、コンピュータプログラム。
【手続補正２】
【補正対象書類名】明細書
【補正対象項目名】発明の名称
【補正方法】変更
【補正の内容】
【発明の名称】互いに異なるユーザ識別体系を利用して登録されたユーザを識別するサーバ間のサービス連動方法、システムおよびコンピュータプログラム